(57)【特許請求の範囲】
【請求項１】
利用時間を設定して利用者に空間を貸与するレンタルスペースであって、
通信回線に接続されて情報を管理するための管理機器と、
前記通信回線を介して前記管理機器に接続され、利用者から前記管理機器への情報入力を受け付ける利用者入力手段と、
前記空間内で使用可能な備品を保管する備品保管手段と、
前記備品保管手段と前記空間との間を移動して前記備品を運搬する運搬手段と、
前記通信回線を介して前記管理機器に接続され、前記運搬手段を制御する運搬制御手段と、を備え、
前記管理機器は、
前記利用者入力手段から受け付けた利用予約に関する利用者情報、日時情報および空間情報を含む予約情報を管理する予約管理部と、
前記備品保管手段に保管された備品に関する備品情報を管理する備品管理部と、
前記予約情報および前記備品情報を記憶する記憶部と、
前記予約管理部および前記備品管理部を制御する管理制御部と、を備え、
前記管理制御部は、
前記予約情報および前記備品情報に基づいて、予約日時に予約された空間まで前記備品を運搬させる運搬指令を生成し、
前記運搬制御手段は、前記通信回線を介して前記管理制御部からの前記運搬指令を受信し、この運搬指令に基づいて、前記備品を予約日時までに予約された空間まで前記運搬手段に運搬させる
ことを特徴とするレンタルスペース。
【請求項２】
請求項１に記載のレンタルスペースにおいて、
前記備品保管手段に保管される前記備品は、利用者が予め預け入れた利用者備品であって、
前記管理制御部は、前記利用者備品と、この利用者備品を預け入れた利用者と、を関連付けた前記備品情報を前記記憶部に記憶させる
ことを特徴とするレンタルスペース。
【請求項３】
請求項１に記載のレンタルスペースにおいて、
前記備品保管手段に保管される前記備品は、前記空間を利用する利用者に貸し出し可能な貸出備品であって、
前記管理制御部は、前記予約管理部が前記利用者入力手段から受け付けた利用予約に前記貸出備品の貸出要求が含まれる場合に、前記予約情報と関連付けて前記貸出備品の貸出情報を前記記憶部に記憶させる
ことを特徴とするレンタルスペース。
【請求項４】
請求項１から請求項３のいずれかに記載のレンタルスペースにおいて、
前記管理機器は、
前記利用者入力手段から受け付けた利用予約に応じて、貸与可能な全空間から少なくとも一部の空間を割り当てるとともに、前記空間を割り当てた割り当て情報を前記記憶部に記憶させる空間割当部を備え、
前記管理制御部は、
前記予約情報、前記備品情報、および前記割り当て情報に基づいて、予約日時に予約された空間まで前記備品を運搬させる運搬指令を生成する
ことを特徴とするレンタルスペース。
【発明の詳細な説明】
【技術分野】
【０００１】
本発明は、利用時間を設定して利用者に空間を貸与するレンタルスペースに関する。
【背景技術】
【０００２】
従来、ビルやオフィス、ホテル等の空会議室を一般の利用者に向けてレンタルするためのシステムが提案されている（例えば、特許文献１参照）。特許文献１に記載されたレンタルシステムは、インターネット等の通信ネットワークに公開された管理サーバと、会議室の情報が保存された複数の予約サーバと、を備え、利用者が管理サーバを介して予約サーバの会議室情報にアクセスするとともに、所望の会議室を予約することができるように構成されている。さらに、レンタルシステムは、課金機能も備えており、レンタル料金の支払もオンラインで実行できるようになっている。【０００３】
一方、共同住宅棟に隣接して設けられた自動倉庫棟と、自動倉庫棟内の所定のラックに収納されたコンテナの管理を行うためのコンテナ管理室と、を備えた自動倉庫付き共同住宅システムが提案されている（例えば、特許文献２参照）。特許文献２に記載された自動倉庫システムでは、コンテナ管理室のコンピュータによって、所定のコンテナを収納したラックのアドレス情報が管理されるとともに、居住者からの指令を受け付け、入出庫台車を運転してコンテナを所定のラックに収納したり、ラックに収納されたコンテナをコンテナ管理室に取り出したり、などの動作が制御される。
【先行技術文献】
【特許文献】
【０００４】
【特許文献１】特開２００２−１５０１７８号公報
【特許文献２】特開２００４−１００２３３号公報
【発明の概要】
【発明が解決しようとする課題】
【０００５】
しかしながら、特許文献１に記載されたレンタルシステムでは、利用者が使用するための備品を管理する構成は開示されておらず、このレンタルシステムに対して特許文献２に記載された自動倉庫システムを組み合わせたようなレンタルルームは従来存在しなかった。さらに、従来のレンタルシステムに従来の自動倉庫システムを組み合わせたとしても、レンタルルームの利用者は、コンテナ管理室まで出向いた上で、入出庫台車によって自動で運搬されたコンテナから備品を取り出し、その備品を予約した部屋まで自ら運搬する必要があることから、この組み合わせたシステムでは利用者の利便性を十分に高めることができない。【０００６】
本発明の目的は、貸与した空間において備品を使用する利用者の利便性を高めることができるレンタルスペースを提供することである。
【課題を解決するための手段】
【０００７】
本発明のレンタルスペースは、利用時間を設定して利用者に空間を貸与するレンタルスペースであって、通信回線に接続されて情報を管理するための管理機器と、前記通信回線を介して前記管理機器に接続され、利用者から前記管理機器への情報入力を受け付ける利用者入力手段と、前記空間内で使用可能な備品を保管する備品保管手段と、前記備品保管手段と前記空間との間を移動して前記備品を運搬する運搬手段と、前記通信回線を介して前記管理機器に接続され、前記運搬手段を制御する運搬制御手段と、を備え、前記管理機器は、前記利用者入力手段から受け付けた利用予約に関する利用者情報、日時情報および空間情報を含む予約情報を管理する予約管理部と、前記備品保管手段に保管された備品に関する備品情報を管理する備品管理部と、前記予約情報および前記備品情報を記憶する記憶部と、前記予約管理部および前記備品管理部を制御する管理制御部と、を備え、前記管理制御部は、前記予約情報および前記備品情報に基づいて、予約日時に予約された空間まで前記備品を運搬させる運搬指令を生成し、前記運搬制御手段は、前記通信回線を介して前記管理制御部からの前記運搬指令を受信し、この運搬指令に基づいて、前記備品を予約日時までに予約された空間まで前記運搬手段に運搬させることを特徴とする。【０００８】
このような本発明によれば、管理機器の管理制御部は、予約情報および備品情報に基づいて、予約日時に予約された空間まで備品を運搬させる運搬指令を生成し、運搬制御手段は、通信回線を介して管理制御部からの運搬指令を受信し、この運搬指令に基づいて、備品を予約日時までに予約された空間まで運搬手段に運搬させる。したがって、利用者の予約に応じて備品を予約された空間まで運搬することができ、利用者は、予約当日の準備にかける時間を削減することができ、利用者の利便性を高めることができる。【０００９】
この際、本発明では、前記備品保管手段に保管される前記備品は、利用者が予め預け入れた利用者備品であって、前記管理制御部は、前記利用者備品と、この利用者備品を預け入れた利用者と、を関連付けた前記備品情報を前記記憶部に記憶させることが好ましい。【００１０】
このような構成によれば、利用者が予め預け入れた利用者備品に対して、備品管理部は、利用者備品と、この利用者備品を預け入れた利用者と、を関連付けた備品情報を記憶部に記憶させることで、利用者が予約した利用日時に合わせて予約した空間まで利用者備品を確実に運搬することができる。【００１１】
さらに、本発明では、前記備品保管手段に保管される前記備品は、前記空間を利用する利用者に貸し出し可能な貸出備品であって、前記管理制御部は、前記予約管理部が前記利用者入力手段から受け付けた利用予約に前記貸出備品の貸出要求が含まれる場合に、前記予約情報と関連付けて前記貸出備品の貸出情報を前記記憶部に記憶させることが好ましい。【００１２】
このような構成によれば、利用者に貸し出し可能な貸出備品に対して、備品管理部は、予約管理部が利用者入力手段から受け付けた利用予約に貸出備品の貸出要求が含まれる場合に、予約情報と関連付けて貸出備品の貸出情報を記憶部に記憶させることで、利用者が予約した利用日時に合わせて予約した空間まで貸出備品を確実に運搬することができる。【００１３】
また、本発明では、前記管理機器は、前記利用者入力手段から受け付けた利用予約に応じて、貸与可能な全空間から少なくとも一部の空間を割り当てるとともに、前記空間を割り当てた割り当て情報を前記記憶部に記憶させる空間割当部を備え、前記管理制御部は、前記予約情報、前記備品情報、および前記割り当て情報に基づいて、予約日時に予約された空間まで前記備品を運搬させる運搬指令を生成することが好ましい。【００１４】
このような構成によれば、管理機器の空間割当部は、利用予約に応じて空間を割り当てるとともに、割り当て情報を記憶部に記憶させ、管理制御部は、予約情報、備品情報、および割り当て情報に基づいて、予約日時に予約された空間まで備品を運搬させる運搬指令を生成することで、予約に応じて適切な空間を利用者に割り当てるとともに、割り当てた空間に備品を確実に運搬することができる。
【図面の簡単な説明】
【００１５】
【図１】本発明の一実施形態に係るレンタルスペースの概略構成図
【図２】前記レンタルスペースの管理機器の構成を示すブロック図
【図３】前記レンタルスペースの管理機器の動作を示すフローチャート
【発明を実施するための形態】
【００１６】
以下、本発明の一実施形態を図面に基づいて説明する。
図１は、本発明の一実施形態に係るレンタルスペースの概略構成図である。
レンタルスペースは、図１に示すように、当該レンタルスペースを管理するための管理機器であるホスト１と、利用者に貸与するための空間である複数の部屋２０と、を備え、複数の部屋２０を有した複数の建物２が存在している。ホスト１および建物２と、利用者が所持する携帯電話やスマートフォン、パーソナルコンピュータ等の端末装置３と、部屋２０のレンタルを予約するための予約サイト４と、は通信回線としての公衆ネットワークであるインターネット５を介して相互に接続可能になっている。利用者は、利用者入力手段としての端末装置３を用いてインターネット５を介して予約サイト４にアクセスし、目的に応じた部屋２０を探し、利用時間および利用人数を指定して予約を実行することができる。予約サイト４は、利用者からの予約を受け付けると、予約が確定した部屋２０と予約時間を含む予約情報をホスト１に送信する。ホスト１は、予約情報に基づいて設定した部屋２０の情報を端末装置３に送信する。
【００１７】
建物２は、会議室やトレーニングルーム等の複数の部屋２０を備え、各部屋２０には、出入口２１と、出入口２１を施解錠するための錠装置２２とが設けられている。錠装置２２は、予約サイト４から利用者の端末装置３に発行される暗証番号やバーコード等の認証キーによって解錠可能になっており、この認証キーは、利用するたびにランダムに変更され、その時間に予約した利用者だけが固有の認証キーを用いて錠装置２２を解錠できるようになっている。各部屋２０には、ＬＡＮ（Local Area Network）を介してモデムやルータ等の通信端末装置２３が接続されており、この通信端末装置２３がインターネット５を介してホスト１に接続されている。また、建物２には、各部屋２０で使用可能な備品Ｂを保管する備品保管手段としての倉庫２４と、倉庫２４と部屋２０との間を移動して備品Ｂを運搬する運搬手段２５と、通信端末装置２３およびインターネット５を介してホスト１に接続され運搬手段２５を制御する運搬制御手段２６と、が設けられている。
【００１８】
倉庫２４は、その内部に複数のラックが設けられ、ラックごとにコンテナに収められた備品Ｂが収納されている。倉庫２４の各ラックおよび備品ＢはＩＤが割り当てられて運搬制御手段２６によって管理されるとともに、後述するホスト１の備品管理部３２によって管理されている。運搬手段２５は、倉庫２４と部屋２０との間を結ぶ運搬経路としてのレール２５Ａと、レール２５Ａに沿って走行可能な自走台車２５Ｂと、を備えている。自走台車２５Ｂは、運搬制御手段２６によって走行制御されるとともに、倉庫２４にて各ラックとの間で備品Ｂのコンテナを受け渡し可能に構成されている。また、各部屋２０には、運搬手段２５に面して開口した受取口２７と、この受取口２７を開閉するための扉２８と、が設けられている。扉２８は、運搬制御手段２６によって開閉制御され、自走台車２５Ｂが備品Ｂを運んできた際に扉２８が開き、部屋２０の内部に自走台車２５Ｂから備品Ｂが搬入され、その後に扉２８が閉じる。一方、備品Ｂを搬出する際には、扉２８が開いてから自走台車２５Ｂが備品Ｂを回収し、扉２８が閉じるとともに自走台車２５Ｂが倉庫２４まで走行し、所定のラックに備品Ｂを収納する。
【００１９】
図２は、レンタルスペースの管理機器の構成を示すブロック図である。
レンタルスペースの管理機器であるホスト１は、サーバ装置によって構成され、図２に示すように、ＣＰＵ（Central Processing Unit）等からなる管理制御部３０と、ＨＤＤ（Hard Disk Drive）等の記憶装置からなる記憶部４０と、を備える。管理制御部３０は、利用者から予約サイト４を介して予約された予約情報を管理する予約管理部３１と、倉庫２４に保管された備品Ｂに関する備品情報を管理する備品管理部３２と、予約情報に基づいて貸与する部屋２０の割り当てを行う空間割当部３３と、予約情報および備品情報に基づいて備品Ｂを運搬させる運搬指令を生成する指令生成部３４と、通信端末装置２３や予約サイト４、利用者の端末装置３との通信を制御する通信部３５と、を備えている。
【００２０】
記憶部４０は、管理する全ての部屋２０の情報を記憶する空間情報記憶部４１と、部屋２０を利用する予約日時および利用人数を含む予約情報を記憶する予約記憶部４２と、倉庫２４に保管された備品Ｂに関する備品情報を記憶する備品記憶部４３と、部屋２０の割り当て情報を記憶する割当記憶部４４と、を備える。管理制御部３０は、予約管理部３１が利用者からの予約を受け付けたら、予約情報と空間情報記憶部４１に記憶された全部屋２０の情報とに基づき、予約情報を予約記憶部４２に記憶させる。また、管理制御部３０は、利用者からの予約に備品Ｂの使用要求が含まれていた場合は、その備品Ｂに関する備品情報を備品記憶部４３から読み出し、備品情報を予約情報に関連付けて予約記憶部４２に記憶させる。さらに、管理制御部３０は、貸与する部屋２０の割り当てを空間割当部３３に実行させて部屋２０の割り当て情報を割当記憶部４４に記憶させる。受け付けた予約情報に対して、日時情報、人数情報、備品情報および割り当て情報が決定されたら、管理制御部３０は、予約が完了したことを通信部３５によって利用者の端末装置３に送信する。
【００２１】
なお、予約管理部３１、備品管理部３２、空間割当部３３、指令生成部３４および通信部３５は、サーバ装置のＣＰＵによりプログラムとして実行されてもよいし、それぞれ独立した機器で構成されてもよいし、クラウドコンピューティングを利用して構成されてもよい。また、記憶部４０は、ＨＤＤ等の記憶装置によって構成されてもよいし、クラウドサービスの記憶手段を利用したものであってもよい。また、利用者入力手段として機能する端末装置３としては、利用者からの入力を受け付ける入力部、利用者に情報を通知するための表示部、ホスト１との間で情報を送受信するための通信部、これらの入力部や表示部、通信部等を制御する制御部を備えたスマートフォン等の機器であってもよいし、入力部、表示部、通信部および制御部がそれぞれ独立した機器で構成されたものであってもよい。
【００２２】
図３は、レンタルスペースの管理機器の動作を示すフローチャートである。
図３のフローチャートでは、利用者により新規の予約を受け付けてからのホスト１の動作手順が示されている。ホスト１の管理制御部３０は、予約サイト４からの予約を予約管理部３１が受け付けると、その予約の内容に基づき予約情報を予約記憶部４２に記憶させる（ステップＳＴ１）。次に、管理制御部３０は、利用者からの予約に備品Ｂの使用要求が含まれていた場合は、その備品Ｂに関する備品情報を備品記憶部４３から読み出し、備品情報を予約情報に関連付けて予約記憶部４２に記憶させる（ステップＳＴ２）。
【００２３】
ここで、利用者が使用する備品Ｂとしては、利用者が予め預け入れて倉庫２４に保管された利用者備品であって、預け入れた利用者と備品Ｂとを関連付けるＩＤが備品管理部３２によって割り当てられて備品記憶部４３に記憶されるとともに、そのＩＤに基づいて運搬制御手段２６によって管理されている。予約した利用者が利用者備品と関連付けられている場合、予約管理部３１は、予約情報と関連付けて利用者備品の使用情報を予約記憶部４２に記憶させる。また、備品Ｂとしては、利用者に貸し出し可能な貸出備品であってもよく、貸出備品としてのＩＤを含む備品情報が備品記憶部４３に記憶されるとともに、そのＩＤに基づいて運搬制御手段２６によって管理されている。利用者からの利用予約に貸出備品の貸出要求が含まれる場合、予約管理部３１は、予約情報と関連付けて貸出備品の貸出情報を予約記憶部４２に記憶させる。
【００２４】
次に、管理制御部３０は、予約情報および備品情報と空間情報記憶部４１に記憶された全部屋２０の情報とに基づき、空間割当部３３に貸与する部屋２０の割り当て情報を設定させ、割り当て情報を割当記憶部４４に記憶させる（割り当て情報設定工程：ステップＳＴ３）。具体的に空間割当部３３は、空間情報記憶部４１に記憶された全ての部屋２０の中から、予約日時に空いていて予約人数に適合した広さの部屋２０を抽出し、抽出した部屋２０を割り当てることとして割り当て情報を設定する。なお、予約情報に適合する部屋２０がなければ、管理制御部３０は、指令生成部３４に不適合指令を生成させ、この不適合指令を通信部３５によって利用者の端末装置３に送信させる（予約確認報知工程：ステップＳＴ４）。
【００２５】
以上により部屋２０の予約が確定したら、管理制御部３０は、予約の変更受付を待機する待機状態となり、予約変更の有無を確認する（ステップＳＴ５）。このステップＳＴ５では、管理制御部３０の予約管理部３１は、予約サイト４から予約変更の入力があるかどうかを所定時間ごとに確認する。管理制御部３０は、予約管理部３１が予約サイト４から予約変更を受け付けたか否かを確認し、予約変更を受け付けたら（ステップＳＴ５でＹＥＳ）、前述のステップＳＴ１〜ＳＴ４を実行し、変更された予約情報に基づいて備品情報および割り当て情報を更新し、利用者に報知する。一方、予約の変更を受け付けず（ステップＳＴ５でＮＯ）、予約時刻の所定時間前まで（ステップＳＴ６でＮＯ）は、ステップＳＴ５を繰り返して予約の変更受付を待機する。予約時刻の所定時間前（例えば、３０分前）になったら（ステップＳＴ６でＹＥＳ）、予約の変更受付を終了する。
【００２６】
予約時刻の所定時間前になったら（ステップＳＴ６でＹＥＳ）、管理制御部３０は、予約情報および備品情報に基づいて、予約された部屋２０まで備品Ｂを運搬させる運搬指令を指令生成部３４に生成させ、この運搬指令を通信部３５によって通信端末装置２３および運搬制御手段２６に送信させる（運搬指令生成工程：ステップＳＴ７）。この運搬指令を受信した運搬制御手段２６は、運搬指令に基づき、備品Ｂを倉庫２４から部屋２０に運搬する（運搬実行工程：ＳＴ８）。また、予約情報に基づく利用時間が経過した後、部屋２０の利用者が退出したことを確認したら、運搬制御手段２６は、部屋２０から備品２０を搬出し、倉庫２４の所定のラックに収納する。以上によりレンタルスペースの利用が完了する。
【００２７】
このような本実施形態によれば、以下の作用・効果を奏することができる。
（１）ホスト１の管理制御部３０は、予約記憶部４２に記憶した予約情報および備品記憶部４３に記憶した備品情報に基づいて、予約日時に合わせて予約された部屋２０まで備品Ｂを運搬させる運搬指令を指令生成部３４に生成させ、建物２の運搬制御手段２６に送信する。運搬制御手段２６は、インターネット５を介して管理制御部３０からの運搬指令を受信し、この運搬指令に基づいて運搬手段２５を駆動制御し、倉庫２４から備品Ｂを予約された部屋２０に予約日時までに運搬させる。したがって、利用者の予約に応じて備品Ｂを予約された部屋２０まで運搬することができ、利用者は、予約当日の準備にかける時間を削減することができ、利用者の利便性を高めることができる。
【００２８】
（２）備品Ｂとして利用者が予め預け入れた利用者備品に対し、備品管理部３２は、この利用者備品と、利用者備品を預け入れた利用者と、を関連付けた備品情報を備品記憶部４３に記憶させ、予約管理部３１は、予約情報と関連付けて利用者備品の使用情報を予約記憶部４２に記憶させることで、利用者が予約した利用日時に合わせて予約した部屋２０まで利用者備品を確実に運搬することができる。一方、備品Ｂとして利用者に貸し出し可能な貸出備品に対し、予約管理部３１は、受け付けた利用予約に貸出備品の貸出要求が含まれる場合に、予約情報と関連付けて貸出備品の貸出情報を予約記憶部４２に記憶させることで、利用者が予約した利用日時に合わせて予約した部屋２０まで貸出備品を確実に運搬することができる。
【００２９】
（３）管理制御部３０の空間割当部３３は、利用予約に応じて部屋２０を割り当てるとともに、割り当て情報を割当記憶部４４に記憶させ、指令生成部３４は、予約情報、備品情報、および割り当て情報に基づいて、予約日時に予約された部屋２０まで備品Ｂを運搬させる運搬指令を生成することで、予約に応じて適切な部屋２０を利用者に割り当てるとともに、割り当てた部屋２０に備品Ｂを確実に運搬することができる。このように貸与可能な全部屋２０から適切な部屋２０を自動的に割り当てることで、人手により部屋２０を割り当てる場合と比較して人件費を抑えることができるとともに、予約を受け付けたときや予約変更があったときに即座に割り当て情報を更新することができる。
【００３０】
〔実施形態の変形〕
なお、本発明は、前記実施形態に限定されるものではなく、本発明の目的を達成できる範囲での変形、改良等は本発明に含まれるものである。
例えば、前記実施形態では、レンタルスペースとして建物２の部屋２０を貸与する場合を例示したが、レンタルスペースとしては、会議室やトレーニングルーム等に限らず、屋外のスペースであるテニスコートや野球場、競技場、駐車場等であってもよいし、カラオケルームやレンタルオフィス、読書スペース等であってもよい。
【００３１】
前記実施形態では、管理機器としてのホスト１は、通信回線であるインターネット５を介して端末装置３や通信端末装置２３に接続されたサーバ装置によって構成される場合を例示したが、管理機器としては、このような集中管理型のサーバ装置によって構成されるものに限られない。すなわち、管理機器としては、分散管理型のものであってもよく、例えば、ブロックチェーンに代表される分散型取引台帳を利用したものなどが利用可能であり、予約情報を管理するとともに、通信端末装置２３に対して各種の指令を送受信して処理できるものであればよい。また、前記実施形態では、管理機器としてのホスト１と予約サイト４とが別個に設けられるとともに、互いにインターネット５を介して接続されていたが、これに限らず、ホスト１と予約サイト４とが単一のサイトに設けられていてもよいし、管理機器の機能と予約サイトの機能とがインターネット上に分散された複数の機器によって構成されていてもよい。
【００３２】
前記実施形態では、管理制御部３０は、空間割当部３３を備え、空間割当部３３が自動で割り当て情報を更新したが、このような空間割当部３３によって自動で割り当て情報を更新せずに、管理者等の人手によって手動で割り当て情報を更新してもよい。また、管理制御部３０は、貸与する部屋２０の貸与料金を算出する料金算出部を備えていてもよく、この料金算出部としては、部屋２０の利用時間や利用人数に応じて貸与料金を算出することに加えて、備品Ｂの使用有無に応じて料金を算出することが好ましい。また、備品Ｂが利用者備品である場合には、その保管料を貸与料金に加算してもよいし、備品Ｂが貸出備品である場合には、その貸出料を貸与料金に加算してもよい。
【００３３】
前記実施形態では、レンタルスペースとして建物２の内部に備品保管手段としての倉庫２４を備えた例を示したが、備品保管手段としては建物や施設内の倉庫２４に限らず、建物外の倉庫等であってもよい。さらに、備品保管手段としては、前記実施形態の倉庫２４のように備品Ｂを集中的に保管するものに限らず、建物の各所や各部屋２０に分散的に設けられたものであってもよい。また、前記実施形態では、運搬手段として、レール２５Ａと自走台車２５Ｂとを備えた運搬手段２５を例示したが、これに限らず、レールを備えない通路上を走行可能な自律走行手段や、天井や壁に設けられたレールに吊り下げられて走行可能な走行クレーンなどであってもよい。また、運搬制御手段としては、建物２に設けられて通信端末装置２３に接続された運搬制御手段２６に限らず、自走台車２５Ｂに搭載されていてもよいし、ホスト１に設けられていてもよい。
【産業上の利用可能性】
【００３４】
以上のように、本発明は、貸与した空間において備品を使用する利用者の利便性を高めることができるレンタルスペースに好適に利用できる。
【符号の説明】
【００３５】
１      ホスト（管理機器）
３      端末装置（利用者入力手段）
５      インターネット（通信回線）
２０      部屋（空間）
２４      倉庫（備品保管手段）
２５      運搬手段
２６      運搬制御手段
３０      管理制御部
３１      予約管理部
３２      備品管理部
３３      空間割当部
３４      指令生成部
４０      記憶手段
４１      空間情報記憶部
４２      予約記憶部
４３      備品記憶部
４４      割当記憶部
Ｂ        備品
【要約】
【課題】貸与した空間において備品を使用する利用者の利便性を高めることができるレンタルスペースを提供。
【解決手段】インターネット５に接続されたホスト１と、利用者からホスト１への情報入力を受け付ける端末装置３と、を備え、ホスト１は、端末装置３から受け付けた利用予約に関する予約情報を管理する予約管理部３１と、倉庫２４に保管された備品Ｂに関する備品情報を管理する備品管理部３２と、予約管理部３１および備品管理部３２を制御する管理制御部３０と、を備える。管理制御部３０は、予約情報および備品情報に基づいて、予約日時に予約された部屋２０まで備品Ｂを運搬させる運搬指令を生成し、運搬制御手段２６は、インターネット５を介して管理制御部３０からの運搬指令を受信し、この運搬指令に基づいて、備品Ｂを予約日時までに予約された部屋２０まで運搬手段２５に運搬させる。
【選択図】図１【図１】
0006620289.tif 000002
【図２】
0006620289.tif 000003
【図３】
0006620289.tif 000004